(57)【要約】【課題】自動運転時又は運転支援時において適宜の対象物への対応ではない通常の運転制御時に、乗員による走行環境の理解を促進する視界制御装置を提供すること。【解決手段】視界制御装置は、車両状態、乗員状態、及び前記車両の周辺環境の少なくとも一つを検知する検知部を有し、前記検知部の検知結果に基づいた自動運転制御又は運転支援制御が可能な車両に設けられる視界制御装置において、フロントウィンドウの少なくとも一部を遮蔽可能な遮蔽部と、前記遮蔽部の駆動を制御する遮蔽制御部と、を備え、前記遮蔽制御部は、前記車両の前記自動運転制御又は前記運転支援制御が行われている状態で、前記遮蔽部により前記フロントウィンドウを遮蔽した遮蔽状態と、前記遮蔽部による遮蔽を解除した開放状態とを切替える。【選択図】図３
2019049813.tif 000002
【特許請求の範囲】
【請求項１】
車両状態、乗員状態、及び前記車両の周辺環境の少なくとも一つを検知する検知部を有し、前記検知部の検知結果に基づいた自動運転制御又は運転支援制御が可能な車両に設けられる視界制御装置において、
フロントウィンドウの少なくとも一部を遮蔽可能な遮蔽部と、
前記遮蔽部の駆動を制御する遮蔽制御部と、を備え、
前記遮蔽制御部は、前記車両の前記自動運転制御又は前記運転支援制御が行われている状態で、前記遮蔽部により前記フロントウィンドウを遮蔽した遮蔽状態と、前記遮蔽部による遮蔽を解除した開放状態とを切替える、
視界制御装置。
【請求項２】
前記遮蔽制御部による前記遮蔽部の切替え制御は、前記検知部の検知結果に基づいて行われる、
請求項１に記載の視界制御装置。
【請求項３】
前記遮蔽部は、前記フロントウィンドウの下部を遮蔽可能である、
請求項１又は２に記載の視界制御装置。
【請求項４】
前記遮蔽制御部による前記遮蔽部の切替えは、前記自動運転制御又は前記運転支援制御が行われている前記車両が、回避が必要となる危険因子が無い又は少ない状態である通常走行状態であるときに行われる、
請求項１〜３のいずれかに記載の視界制御装置。
【請求項５】
前記遮蔽制御部による前記遮蔽部の切替え制御は、所定の時間しきい値に基づいて行われる、
請求項１〜４のいずれかに記載の視界制御装置。
【請求項６】
前記検知部の検知結果の変化が大きい場合に、前記遮蔽状態と前記開放状態との切替えの間隔が短くなるように、前記時間しきい値が小さく変更される、
請求項５に記載の視界制御装置。
【請求項７】
前記検知部の検知結果の変化が大きい場合に、前記遮蔽状態と前記開放状態との切替えの間隔が長くなるように、前記時間しきい値が大きく変更される、
請求項５に記載の視界制御装置。
【請求項８】
前記遮蔽制御部は、前記検知部の検知結果に応じて、前記遮蔽部の駆動を開放状態と複数段階の遮蔽状態とに分けて制御する、
請求項１〜７のいずれかに記載の視界制御装置。
【請求項９】
前記遮蔽部は、少なくとも前記乗員の中心視野より下側を遮蔽する、
請求項１〜８のいずれかに記載の視界制御装置。
【発明の詳細な説明】
【技術分野】
【０００１】
本発明は、視界制御装置、特に自動運転時又は運転支援時の通常の運転制御時における乗員による走行環境の理解を促進可能な視界制御装置に関する。
【背景技術】
【０００２】
自動運転車両における自動運転時に乗員が安心を覚えるために、障害物が近付いた場合に、障害物マークと注意喚起マークと進行方向マークとを車両前方の風景に重ねて表示するＨＵＤ装置を備えた車両用表示装置が知られている（特許文献１参照）。
【先行技術文献】
【特許文献】
【０００３】
【特許文献１】特開２０１７−０９１１１５号公報
【発明の概要】
【発明が解決しようとする課題】
【０００４】
車両の乗員は、例えばドライバーとして手動で運転を行うときはフロントウィンドウを通した前方の周辺環境の監視を行っている。なお、自動運転時又は運転支援時には、乗員は車両に運転の主導権を渡すことになるので、乗員の周辺監視を行う必要性が低下し、走行中の周辺環境への意識が低減する可能性がある。
【０００５】
上述したような従来の車両用表示装置は、自動運転時に先行車などの対象物に対処する際の注意を促す表示は可能であるものの、自動運転制御として適宜の対象物への対処を行う場合以外で乗員に注意を促すものではなかった。つまり、自動運転時又は運転支援時に、単に通常走行している状態での乗員への注意喚起を行うものではなかった。
【０００６】
よって、本発明が解決しようとする課題は、自動運転時又は運転支援時において適宜の対象物への対応ではない通常の運転制御時に、乗員による走行環境の理解を促進する視界制御装置を提供することである。
【課題を解決するための手段】
【０００７】
前記課題を解決するための手段として、本発明に係る視界制御装置は、車両状態、乗員状態、及び前記車両の周辺環境の少なくとも一つを検知する検知部を有し、前記検知部の検知結果に基づいた自動運転制御又は運転支援制御が可能な車両に設けられる視界制御装置において、フロントウィンドウの少なくとも一部を遮蔽可能な遮蔽部と、前記遮蔽部の駆動を制御する遮蔽制御部と、を備え、前記遮蔽制御部は、前記車両が前記自動運転制御又は前記運転支援制御が行われている状態で、前記遮蔽部により前記フロントウィンドウを遮蔽した遮蔽状態と、前記遮蔽部による遮蔽を解除した開放状態とを切替える。
【０００８】
本発明に係る視界制御装置において、前記遮蔽制御部による前記遮蔽部の切替え制御は、前記検知部の検知結果に基づいて行われることが好ましい。
【０００９】
本発明に係る視界制御装置において、前記遮蔽部は、前記フロントウィンドウの下部を遮蔽可能であることが好ましい。
【００１０】
本発明に係る視界制御装置において、前記遮蔽制御部による前記遮蔽部の切替えは、前記自動運転制御又は前記運転支援制御が行われている前記車両が、回避が必要となる危険因子が無い又は少ない状態である通常走行状態であるときに行われることが好ましい。
【００１１】
本発明に係る視界制御装置において、前記遮蔽制御部による前記遮蔽部の切替え制御は、所定の時間しきい値に基づいて行われることが好ましい。
【００１２】
本発明に係る視界制御装置において、前記検知部の検知結果の変化が大きい場合に、前記遮蔽状態と前記開放状態との切替えの間隔が短くなるように、前記時間しきい値が小さく変更されることが好ましい。
【００１３】
本発明に係る視界制御装置において、前記検知部の検知結果の変化が大きい場合に、前記遮蔽状態と前記開放状態との切替えの間隔が長くなるように、前記時間しきい値が大きく変更されることが好ましい。
【００１４】
本発明に係る視界制御装置において、前記遮蔽制御部は、前記検知部の検知結果に応じて、前記遮蔽部の駆動を開放状態と複数段階の遮蔽状態とに分けて制御することが好ましい。
【００１５】
本発明に係る視界制御装置において、前記遮蔽部は、少なくとも前記乗員の中心視野より下側を遮蔽することが好ましい。
【発明の効果】
【００１６】
本発明によると、自動運転状態又は運転支援状態の通常走行時、つまり適宜の対象物への対応制御が行われていないときに、フロントウィンドウの遮蔽状態と開放状態とを切り替えることで、乗員の視界に変化を生じさせて、フロントウィンドウを介した前方監視を促す。これにより、乗員による周辺監視への集中力が低下し得る状況である、走行環境の変化が少ない通常の運転制御時において、乗員の走行環境の理解を促進可能な視界制御装置を提供することができる。
【図面の簡単な説明】
【００１７】
【図１】図１は、本発明の一実施形態に係る視界制御装置を示すブロック図である。
【図２】図２は、図１に示した視界制御装置によるフロントウィンドウの開放状態を示す概略図である。
【図３】図３は、図１に示した視界制御装置によるフロントウィンドウの遮蔽状態を示す概略図である。
【図４】図４は、図１に示した視界制御装置を用いてフロントウィンドウの遮蔽の有無を切替える際の制御フローについて示すフローチャート図である。
【図５】図５は、図１に示した視界制御装置を用いて遮蔽部の駆動と解除とを切替える際に、切替えのための時間しきい値を変更して成る制御フローについて示すフローチャート図である。
【図６】図６は、図１に示した視界制御装置を用いて遮蔽部の駆動と解除とを切替える際に、切替えのための時間しきい値を変更して成る制御フローについて示すフローチャート図である。
【図７】図７は、図１に示した視界制御装置を用いて遮蔽部の駆動と解除とを切替える際に、切替えのための時間しきい値を変更して成る制御フローについて示すフローチャート図である。
【図８】図８は、図１に示した視界制御装置を用いて遮蔽部の駆動と解除とを切替える際に、遮蔽部の駆動状態を複数段階に分けて成る制御フローについて示すフローチャート図である。
【発明を実施するための形態】
【００１８】
（基本実施形態の概要）
本発明に係る視界制御装置の一実施形態について、図１〜図４を参照しつつ説明する。
なお、図１は、本発明の一実施形態に係る視界制御装置１を示すブロック図である。また、図２及び３は、図１に示した視界制御装置１によるフロントウィンドウの開放状態及び遮蔽状態を示す概略図である。図４は、図１に示した視界制御装置１を用いて遮蔽部１１の駆動と解除とを切替える際の制御フローについて示すフローチャート図である。
【００１９】
図１に示すように、視界制御装置１は、遮蔽部１１と遮蔽制御部１２とを備える。また、視界制御装置１が設けられる車両は、図１に示すように、検知部２、運転制御部３、及び記憶部４を備える。本実施形態においては、検知部２、運転制御部３及び記憶部４がそれぞれ有する情報を遮蔽制御部１２に対して出力可能になっている。
視界制御装置１については、図２及び３を参照しつつ後述する。
【００２０】
検知部２は、車内外の状況、状態、環境などを検知する部材であり、車両状態、乗員状態及び車両の周辺環境の少なくとも一つを検知する。車両状態に係る検知対象としては、車両の前後左右方向に作用する加速度、ピッチモーメント、ヨーモーメントなどを挙げることができる。乗員状態に係る検知対象としては、乗員の体格、乗員の視線の方向及び高さ、覚醒レベルなどを挙げることができる。車両の周辺環境に係る検知対象としては、天候、道路の延在方向、路面状態、各種標識、各種標示、周辺の車両状態などを挙げることができる。
検知部２としては、具体的には各種センサ、カメラなどを用いることができ、周辺環境の検知には通信装置を介して外部から情報を取り込むこともできる。
【００２１】
運転制御部３は、車両の加減速及び操舵の主導権の全部又は大部分を車両側で保持することで、車両の自動運転制御及び高度運転支援制御を行う。基本的には、運転制御部３による自動運転制御及び高度運転支援制御は上記主導権の保持度合いに応じて複数のレベルに分けられ、周辺環境などに応じて運転制御部３が制御レベルを変更することになる。本実施形態では運転制御部３は経時的に変化し続ける周辺環境に応じた走行シナリオを構築及び更新し、走行シナリオを記憶部４に記憶させておく。なお、走行シナリオの構築のための周辺環境に係る情報は、上記検知部２により検知した情報を用いることができる。
運転制御部３としては、通常の自動運転車両又は運転支援車両で用いられる制御用演算処理装置などを用いることができる。
【００２２】
記憶部４は、自動運転走行時の走行シナリオ、ナビ情報などを記憶する。本実施形態における記憶部４は、少なくとも後述の遮蔽制御部１２による遮蔽部１１の駆動及び解除に必要な情報を記憶するものであり、上記走行シナリオ及びナビ情報などの全てを記憶しなくとも良い。
記憶部４としては、通常の車両の演算処理装置に設けられる記憶装置などを用いることができる。
【００２３】
遮蔽部１１は、車両の車室前方に配置されるフロントウィンドウを遮蔽可能な部材である。また、遮蔽制御部１２は、遮蔽部１１の駆動を制御する。遮蔽制御部１２は遮蔽部１１に対して駆動に係る信号を出力可能となっている。本実施形態における遮蔽制御部１２は、遮蔽部１１の駆動制御で用いる時間しきい値（第１時間しきい値）が予め設定されている。時間しきい値は、例えば運転を行わずに着座しているだけの乗員が周辺監視に対する集中力を持続可能な時間などに基づいて適宜に設定することができる。
【００２４】
ここで、図２及び図３を参照しつつ、遮蔽部１１の具体的な一形態について説明する。図２及び図３は、車室内から前方を見た状態を概略的に示している。乗員Ｐの前方には車室と車外とを仕切るフロントウィンドウＷが配置され、フロントウィンドウＷを通してエンジンルームを覆うフードＨと、フードＨより更に前方の路面Ｒとが見える状態となっている。本形態では、路面Ｒに道路標示として中央線Ｌ１及び車道外側線Ｌ２が描かれている。
【００２５】
図２に示す遮蔽部１１は駆動していない状態であり、フロントウィンドウＷが開放状態となっているので、乗員Ｐは通常通りの視界を確保することができる。これに対して、図３に示す遮蔽部１１は駆動している状態であり、フロントウィンドウＷの下側が遮蔽状態となっているので、乗員Ｐの視界は図２に示した開放状態に比べて狭まっている。
【００２６】
本実施形態における遮蔽部１１は、駆動していない状態ではインパネ内に収容され、駆動することによりフロントウィンドウＷの下側からせり上がるシェード状の部材を採用している。特に図３に示すように遮蔽部１１は、フロントウィンドウＷと車幅方向に略同一の大きさを有し、駆動によりフロントウィンドウＷの下側を左右両端に亘る領域で遮蔽することができる。
【００２７】
上記運転制御部３によって車両の自動運転制御又は高度運転支援制御が行われている状態で、例えば自動車専用道路などを走行している場合、車両が高速度帯で走行することが多くなる。通常、乗員Ｐが手動運転をしている場合、高速度帯での走行時には低速度帯での走行時に比べて車両から離れた前方領域を主に監視することになる。自動運転制御時又は運転支援制御時であっても同様に、車両から離れた領域において乗員Ｐによる周辺環境の監視が必要となる。つまり、車両近傍の手前側の路面Ｒは、自動車専用道路などでは遮蔽しても問題無いことが多い。
【００２８】
図３の路面Ｒ上に破線で示すのは、自動運転制御状態又は運転支援制御状態での高速度帯で走行している車両における乗員Ｐの中心視野Ｓである。中心視野Ｓは、フードＨ近傍の手前側ではなく、車両から離れた領域となっている。本実施形態における遮蔽部１１は乗員Ｐの中心視野Ｓの下側を遮蔽することができる。なお、乗員Ｐの中心視野Ｓは、例えば車内に設置される乗員監視用カメラなどを用いて視線の方向に基づいて導出することができる。中心視野Ｓの位置が変化した場合は、遮蔽制御部１２が遮蔽部１１の遮蔽領域を中心視野Ｓに合わせて適宜に変更させることができる。
【００２９】
自動運転制御及び運転支援制御には、先行車及び障害物などの様々な対象物に起因する危険因子を回避するための対応制御と、回避が必要となる危険因子が無い又は少ないことで対応制御が不要な場合に通常に走行するための運転制御である通常走行制御とが含まれる。本実施形態に係る視界制御装置１は、自動運転制御及び運転支援制御における通常走行制御が行われている状態、つまり通常走行状態で用いられる。なお、危険因子は、検知部２が検知する様々な対象物において、自車両を回避させなければ安全な走行を維持することができないと判断されるものである。
【００３０】
次に、図１に示した部材を用いて遮蔽及びその解除を行う際の制御フローについて、フローチャート図として示した図４を参照しつつ説明する。
【００３１】
先ず、運転制御部３から遮蔽制御部１２に出力される車両の制御状態に係る信号に基づいて、自動運転制御又は運転支援制御の有無を遮蔽制御部１２が判別する（ステップＳ１）。本工程では、運転制御部３から車両の自動運転制御状態又は運転支援制御状態に係る信号が遮蔽制御部１２に入力された場合に、次工程に移る（ステップＳ１のＹＥＳ）。この信号が入力されない場合、又は、非自動運転制御状態若しくは非運転支援制御状態に係る信号が入力された場合は、遮蔽部１１を駆動することなく本制御フローは完了する（ステップＳ１のＮＯ）。
【００３２】
次いで、運転制御部３による車両の自動運転制御又は運転支援制御が行われ、かつ通常走行制御状態であるか否かを遮蔽制御部１２が判別する（ステップＳ２）。本工程では、運転制御部３から車両が自動運転制御状態又は運転支援制御状態で、かつ車両の通常走行制御状態に係る信号が遮蔽制御部１２に入力された場合に、次工程に移る（ステップＳ２のＹＥＳ）。この信号が入力されない場合、又は、上記対応制御に係る信号が入力された場合は、遮蔽部１１を駆動することなく本制御フローは完了する（ステップＳ２のＮＯ）。
【００３３】
通常走行制御状態の自動運転制御車両又は運転支援制御車両は、遮蔽制御部１２が遮蔽部１１に対して駆動信号を出力して駆動させる（ステップＳ３）。通常走行制御状態であれば、図２及び３に示したフロントウィンドウＷの少なくとも一部を遮蔽しても走行に問題が無い又は生じにくい。本工程によって、図３に示したように遮蔽部１１がフロントウィンドウＷの下端部から上方に移動して、フロントウィンドウＷの下部を遮蔽する。つまり、フロントウィンドウＷは、図２に示した開放状態から図３に示した遮蔽部１１による遮蔽状態に変化する。
【００３４】
続いて、遮蔽制御部１２は、予め設定されて成る時間しきい値を遮蔽部１１の駆動時間が超えているか否かを判別する（ステップＳ４）。本工程では、前工程（ステップＳ３）における遮蔽部１１の駆動から起算した遮蔽部１１の駆動時間が、所定の時間しきい値を超えている場合は、次工程に移る（ステップＳ４のＹＥＳ）。遮蔽部１１の駆動時間が、所定の時間しきい値を超えていない場合は、超えるまで遮蔽部１１を駆動し続けてフロントウィンドウＷの遮蔽状態を維持する（ステップＳ４のＮＯ）。
【００３５】
更に、所定の時間しきい値を超えて遮蔽部１１が駆動されている場合は、遮蔽制御部１２は遮蔽部１１の駆動を解除する（ステップＳ５）。遮蔽部１１の駆動が解除されることで、フロントウィンドウＷは図３に示した遮蔽状態から図２に示した開放状態に戻る。
【００３６】
以上のように、自動運転制御又は運転支援制御が行われている車両が通常走行制御状態である場合に、遮蔽制御部１２によって、所定の時間しきい値に基づいて遮蔽状態と開放状態とが切替えられる。
【００３７】
自動運転制御又は運転支援制御が行われている車両が通常走行制御状態である場合、図２及び図３に示した乗員Ｐは、運転の主導権が乗員Ｐに戻されるのに備えて、車両の運転は行っていないが目視による周辺監視を行うことを要求される。車両の運転を行っていないと、乗員Ｐの周辺監視の必要性が低下することに伴って、周辺監視に対する集中力が低下し易くなる。
【００３８】
乗員Ｐの周辺監視に対する集中力が低下し易い状況下でフロントウィンドウＷの遮蔽及び開放を切替えることによって、乗員Ｐの視界に変化を生じさせる。仮に乗員Ｐが周辺監視に対する集中力が低下して注意散漫な状態となっていても、フロントウィンドウＷという乗員Ｐの近い領域で視界に変化が生じさせるので、乗員Ｐの意識をフロントウィンドウＷを介した車両前方に向けさせることができる。これにより、走行環境の変化が少ない通常走行制御状態であっても、乗員Ｐに対してフロントウィンドウＷを介した前方監視を促し、結果として乗員Ｐの走行環境の理解を促進することができる。
【００３９】
例えば適宜のセンサ又はカメラなどで先行車又は障害物などの対象物を前方に検知した場合、加減速及び操舵などによって、その対象物を回避するなどの対応制御が必要となる。緊急時に車両側から乗員側に運転の主導権を渡す可能性に鑑みれば、対象物が自車両に接近して対応制御が行われている状態になって初めて乗員に走行環境の理解を促したのでは、乗員による手動運転に切り替わったときに対象物への対応が遅れる可能性がある。よって、本発明に係る視界制御装置は、基本的に通常走行制御状態で遮蔽部の駆動及び解除を切替えて乗員の走行環境の理解を促すことで、対応制御が行われる状況に対して乗員を備えさせることができる。
【００４０】
なお、対応制御が運転シナリオに組み込まれたとき、又は対応制御が開始されたときには、本発明に係る視界制御装置による制御に対して、フロントウィンドウの開放を強制させる制御を上書きして行うのが好ましい。具体的には、対応制御の必要性が生じたとき又は行われたときに、遮蔽部の駆動及び解除の切替えを中止すると共に、遮蔽部が駆動状態であれば駆動を解除し、駆動されていなければそれを維持することでフロントウィンドウを強制的に開放状態とするのが好ましい。これにより、乗員の前方の視界が最大限まで開放されるので、対応制御を行う必要の生じた走行環境を乗員が目視によって確認し易くなる。
【００４１】
本実施形態では、図４に示したように自動運転制御又は高度運転支援制御の有無と通常走行制御の有無とをステップＳ１及びＳ２に分けて判別しているが、本発明においては乗員の集中力が低下し得る状況が判別可能である限り、１工程で判別を完了させても良い。
【００４２】
図４に示した制御フローに沿って制御が行われた結果、遮蔽部１１の駆動が解除されて上記フロントウィンドウＷが開放状態となった後、図４に示した制御フローを再度実行するまでの時間は、上記ステップＳ４で用いた時間しきい値を用いても良く、別の繰返し制御用時間しきい値などを適宜に設定しても良い。
【００４３】
遮蔽部の駆動及び解除を切替えるための時間しきい値は、上記実施形態では遮蔽制御部１２に予め設定されていたが、記憶部に記憶させておいても良い。この場合、遮蔽制御部は、車両が運転制御部による通常走行制御状態であることを判別したことをトリガーとして記憶部から時間しきい値が出力されることになる。
【００４４】
本発明における遮蔽部としては、例えば上下動可能なシェードで物理的に遮蔽する形態、電圧を印加して透過性を調節可能ないわゆる電子カーテンなどで遮蔽する形態などを含むフロントウィンドウの単純な遮蔽形態であっても良く、遮蔽部の車室側にモニタなどの表示部を設ける形態であっても良い。また、上記遮蔽部１１のようにフロントウィンドウＷの左右両端に亘る大きさでなくとも良く、複数のモニタが車幅方向に並列してインパネから立ち上がる形態であっても良い。
【００４５】
本発明においては、上記時間しきい値を可変に設定することもできる。時間しきい値を固定すると、フロントウィンドウの遮蔽及び開放が一定間隔で行われるので、乗員が視界の変化に慣れて周辺環境の監視に対する集中力が再度低下することも考えられる。これに鑑みて、時間しきい値が所定の幅を以て設定され、上記ステップＳ４のように遮蔽部の駆動時間と時間しきい値とを比較する際に任意の値を採るようにしても良い。
また、本発明においては、上記検知部などで検知し得る情報である、車両状態、車両の周辺環境、及び乗員状態の少なくとも一つの情報に基づいて、予め設定されていた時間しきい値を適宜に変更することもできる。時間しきい値の変更形態を、図５〜７を参照しつつ以下に説明する。
【００４６】
続いて示す図５〜７は、図１に示した視界制御装置１を用いて遮蔽部１１の駆動と解除とを切替える際に、切替えのための時間しきい値を変更して成る制御フローについて示すフローチャート図である。
【００４７】
まず図５に示す制御フローでは、車両状態に基づいて時間しきい値が可変となっている。
【００４８】
図５に示すように、自動運転制御又は高度運転支援制御が行われ、かつ通常運転制御状態であるか否かを遮蔽制御部１２が判別する工程（ステップＳ１及びステップＳ２）、遮蔽制御部１２による遮蔽部１１の駆動工程（ステップＳ３）は、図４に示した制御フローと同様である。遮蔽部１１が駆動している状態で、車両挙動が所定量以上変化しているか否かを遮蔽制御部１２が判別する（ステップＳ６）。本工程では、検知部２が検知する車両挙動に関する情報に基づいて適宜の演算装置によって経時的な変化率を導出し、この車両挙動の変化率が、例えば遮蔽制御部１２に予め設定される所定の第１しきい値を超えている場合は、次工程に移る（ステップＳ６のＹＥＳ）。
なお、車両挙動の変化率が所定の第１しきい値を超えていない場合は、上述した遮蔽部１１の駆動時間と所定の時間しきい値との比較工程（ステップＳ６のＮＯ及びステップＳ４）と、遮蔽部１１の駆動解除工程（ステップＳ５）とを図４に示した制御フローと同様に行うことで、上記フロントウィンドウＷを遮蔽状態から開放状態に戻す。
【００４９】
ここで、車両挙動の変化率としては、例えば車両の挙動に関わる車両状態のパラメータの変化率、更に具体的には車両前後左右方向に作用する加速度、ピッチモーメント、ヨーモーメントなどの大きさを検知部２で検知し、その検知結果の経時的な変化率を導出することで得られるものをあげることができる。
この導出される車両挙動の変化率と比較を行うための車両挙動の変化率に関するしきい値（第１しきい値）は、例えばどのような車両挙動パラメータがどの程度変化した場合に、乗員に対して周辺監視をより一層促した方が良いかというデータを予め蓄積、分析しておくことで適宜に設定することができる。第１しきい値は、検知する車両挙動に関する情報の種類に応じて、１種又は複数種設定しておけば良い。
【００５０】
続いて、車両挙動の変化率が第１しきい値を超えている場合は、時間しきい値を変更して第２時間しきい値を用いることとする（ステップＳ７１）。なお、第２時間しきい値は、検知される車両挙動に係るパラメータの種類に応じて、変更前の時間しきい値より大きく設定されても良く、小さく設定されても良い。
【００５１】
次に、遮蔽制御部１２は、第２時間しきい値を遮蔽部１１の駆動時間が超えているか否かを判別する（ステップＳ４１）。本工程では、遮蔽部１１の駆動工程（ステップＳ３）における遮蔽部１１の駆動から起算した遮蔽部１１の駆動時間が、時間しきい値から変更後の第２時間しきい値を超えている場合は、次工程に移る（ステップＳ４１のＹＥＳ）。遮蔽部１１の駆動時間が第２時間しきい値を超えていない場合は、超えるまで遮蔽部１１を駆動し続けてフロントウィンドウＷの遮蔽状態を維持する（ステップＳ４１のＮＯ）。
【００５２】
第２時間しきい値を超えて遮蔽部１１が駆動されている場合（ステップＳ４１のＹＥＳ）、遮蔽制御部１２は遮蔽部１１の駆動を解除する（ステップＳ５）。遮蔽部１１の駆動が解除されることで、フロントウィンドウＷは図３に示した遮蔽状態から図２に示した開放状態に戻る。
【００５３】
以上のように、自動運転制御又は運転支援制御が行われている車両が通常走行制御状態である場合に、車両挙動に応じて、遮蔽制御部１２は、所定の時間しきい値又は第２時間しきい値に基づいた遮蔽状態と開放状態との切替えを行うことができる。
【００５４】
続いて図６に示す制御フローでは、周辺環境に基づいて時間しきい値が可変となっている。
【００５５】
図６に示すように、自動運転制御又は高度運転支援制御が行われ、かつ通常運転制御状態であるか否かを遮蔽制御部１２が判別する工程（ステップＳ１及びステップＳ２）、遮蔽制御部１２による遮蔽部１１の駆動工程（ステップＳ３）は、図４に示した制御フローと同様である。遮蔽部１１が駆動している状態で、周辺環境が所定量以上変化しているか否かを遮蔽制御部１２が判別する（ステップＳ８）。本工程では、検知部２が検知する又は記憶部４が記憶する周辺環境に関する情報に基づいて適宜の演算装置によって変化率を導出し、この周辺環境の変化率が、例えば遮蔽制御部１２に予め設定される所定の第２しきい値を超えている場合は、次工程に移る（ステップＳ８のＹＥＳ）。
なお、周辺環境の変化率が所定の第２しきい値を超えていない場合は、上述した遮蔽部１１の駆動時間と所定の時間しきい値との比較工程（ステップＳ８のＮＯ及びステップＳ４）と、遮蔽部１１の駆動解除工程（ステップＳ５）とを、図４に示した制御フローと同様に行うことで、上記フロントウィンドウＷを遮蔽状態から開放状態に戻す。
【００５６】
ここで、周辺環境の変化率としては、例えば車両の周辺環境に関わる情報、パラメータの変化率などである。更に具体的には、検知部２で検知される天候、道路の延在方向、路面状態、各種標識、各種標示、周辺の車両状態などの情報、記憶部４で記憶されるナビ情報などを数値化して、その経時的な変化率、又は一定区関内での発生頻度の変化率を導出することで得られるものを挙げることができる。
この周辺環境の変化率と比較を行うための、周辺環境の変化率に関するしきい値（第２しきい値）は、例えばどのような周辺環境パラメータがどの程度変化した場合に、乗員に対して周辺監視をより一層促した方が良いかというデータを予め蓄積、分析しておくことで、適宜に設定することができる。一例として、検知部２による検知結果又は記憶部４のナビ情報などに基づいて制限速度の変化、分岐、合流、及びカーブなどが多い道路を自車両が走行すると分かった場合、このような道路は周辺環境の変化が多いと判断する。例えば分岐などの発生頻度が高くなる区間（周辺環境の変化率が大きくなる区間）には、周辺監視を高い頻度で促すという形態を採ることもできる。第２しきい値は、検知又は記憶する周辺環境に関する情報の種類に応じて、１種又は複数種を遮蔽制御部１２に設定しておけば良い。
【００５７】
続いて、周辺環境の変化率が第２しきい値を超えている場合（ステップＳ８のＹＥＳ）は、時間しきい値を変更して第３時間しきい値を用いることとする（ステップＳ７２）。なお、第３時間しきい値は、検知又は記憶される周辺環境に係るパラメータの種類に応じて、変更前の時間しきい値より大きく設定されても良く、小さく設定されても良い。
【００５８】
次に、遮蔽制御部１２は、第３時間しきい値を遮蔽部１１の駆動時間が超えているか否かを判別する（ステップＳ４２）。本工程では、遮蔽部１１の駆動工程（ステップＳ３）における遮蔽部１１の駆動から起算した遮蔽部１１の駆動時間が、時間しきい値から変更後の第３時間しきい値を超えている場合は、次工程に移る（ステップＳ４２のＹＥＳ）。遮蔽部１１の駆動時間が第３時間しきい値を超えていない場合は、超えるまで遮蔽部１１を駆動し続けてフロントウィンドウＷの遮蔽状態を維持する（ステップＳ４２のＮＯ）。
【００５９】
第３時間しきい値を超えて遮蔽部１１が駆動されている場合（ステップＳ４２のＹＥＳ）、遮蔽制御部１２は遮蔽部１１の駆動を解除する（ステップＳ５）。遮蔽部１１の駆動が解除されることで、フロントウィンドウＷは図３に示した遮蔽状態から図２に示した開放状態に戻る。
【００６０】
以上のように、自動運転制御又は運転支援制御が行われている車両が通常走行制御状態である場合に、周辺環境に応じて、遮蔽制御部１２は、所定の時間しきい値又は第３時間しきい値に基づいた遮蔽状態と開放状態との切替えを行うことができる。
【００６１】
図５に示した実施形態では車両挙動変化率が第１しきい値を超えている場合、図６に示した実施形態では周辺環境変化率が第２しきい値を超えている場合に、時間しきい値を変更していたが、逆に各変化率が各しきい値より小さい場合に、時間しきい値を変更するようにしても良い。車両の種類、性能、特性、走行環境などによって、乗員に対して周辺監視を促すことの重要性、必要性などが変化する可能性があるので、様々な状況を想定して予め各変化率と各しきい値と時間しきい値との相関を設定しておくのが好ましい。
【００６２】
続いて図７に示す制御フローでは、運転制御部３による自動運転制御及び高度運転支援制御による運転の主導権の保持度合いに応じた制御レベル（以下、「運転制御レベル」と称する）に基づいて時間しきい値が可変となっている。
【００６３】
図７に示すように、自動運転制御又は高度運転支援制御が行われ、かつ通常運転制御状態であるか否かを遮蔽制御部１２が判別する工程（ステップＳ１及びステップＳ２）、遮蔽制御部１２による遮蔽部１１の駆動工程（ステップＳ３）は、図４に示した制御フローと同様である。遮蔽部１１が駆動している状態で、運転制御レベルが変化しているか否かを遮蔽制御部１２が判別する（ステップＳ９）。本工程では、運転制御部３による運転制御レベルが変化した場合は、次工程に移る（ステップＳ９のＹＥＳ）。
なお、運転制御レベルが変化していない場合は、上述した遮蔽部１１の駆動時間と所定の時間しきい値との比較工程（ステップＳ９のＮＯ及びステップＳ４）と、遮蔽部１１の駆動解除工程（ステップＳ５）とを、図４に示した制御フローと同様に行うことで、上記フロントウィンドウＷを遮蔽状態から開放状態に戻す。
【００６４】
ここで、運転制御レベルとしては、例えばＮＨＴＳＡなどが採用しているＳＡＥ  Ｊ３０１６（２０１６）において定義された自動運転レベルを用いることができる。なお、ＳＡＥ  Ｊ３０１６によるといわゆる自動運転と呼ばれるのはＳＡＥレベル３〜５である。
【００６５】
続いて、運転制御レベルが変化した場合（ステップＳ９のＹＥＳ）は、時間しきい値を変更して第４時間しきい値を用いることとする（ステップＳ７３）。なお、第４時間しきい値としては、ＳＡＥレベル３〜５の各運転制御レベルに対応する時間しきい値を設定しておくことができる。また、第４時間しきい値は、例えば運転制御レベルが上がった場合、逆に下がった場合のそれぞれにおいて、乗員に対して周辺監視をどの程度促した方が良いかというデータを予め蓄積、分析しておくことで、適宜に設定することもできる。
【００６６】
次に、遮蔽制御部１２は、第４時間しきい値を遮蔽部１１の駆動時間が超えているか否かを判別する（ステップＳ４３）。本工程では、遮蔽部１１の駆動工程（ステップＳ３）における遮蔽部１１の駆動から起算した遮蔽部１１の駆動時間が、時間しきい値から変更後の第４時間しきい値を超えている場合は、次工程に移る（ステップＳ４３のＹＥＳ）。遮蔽部１１の駆動時間が第４時間しきい値を超えていない場合は、超えるまで遮蔽部１１を駆動し続けてフロントウィンドウＷの遮蔽状態を維持する（ステップＳ４３のＮＯ）。
【００６７】
第４時間しきい値を超えて遮蔽部１１が駆動されている場合（ステップＳ４３のＹＥＳ）、遮蔽制御部１２は遮蔽部１１の駆動を解除する（ステップＳ５）。遮蔽部１１の駆動が解除されることで、フロントウィンドウＷは図３に示した遮蔽状態から図２に示した開放状態に戻る。
【００６８】
以上のように、自動運転制御又は運転支援制御が行われている車両が通常走行制御状態である場合に、運転制御レベルに応じて、遮蔽制御部１２は、所定の時間しきい値又は第４時間しきい値に基づいた遮蔽状態と開放状態との切替えを行うことができる。
【００６９】
図７に示す制御フローでは、運転制御部３による車両の運転制御レベルがＳＡＥレベル３〜５であったものがＳＡＥレベル０〜２に変化した場合は乗員による周辺監視が必須となるので、遮蔽部１１が駆動してフロントウィンドウＷを遮蔽していても強制的に駆動解除を行って開放状態に戻す上書き制御を行うこともできる。これにより、乗員の前方の視界が最大限まで開放されるので、乗員に運転の主導権の大部分又は前部が移されたとしても走行環境を乗員が目視によって迅速に確認可能となる。
【００７０】
続いて示す図８は、図１に示した視界制御装置１を用いて遮蔽部１１の駆動と解除とを切替える際に、遮蔽部１１の駆動状態を複数段階に分けて成る制御フローについて示すフローチャート図である。図８に示す制御フローでは、乗員状態に基づいて遮蔽部１１の駆動状態が複数段階に分けられている。
【００７１】
図８に示すように、自動運転制御又は高度運転支援制御が行われ、かつ通常運転制御状態であるか否かを遮蔽制御部１２が判別する工程（ステップＳ１及びステップＳ２）と、遮蔽制御部１２による遮蔽部１１の駆動工程（ステップＳ３）と、遮蔽部１１の駆動時間が所定の時間しきい値を超えているか否かを遮蔽制御部１２が判別する工程（ステップＳ４）とは、図４に示した制御フローと同様である。
次いで、遮蔽部１１が駆動している状態で、乗員の生体レベルが所定レベルより低いか否かを遮蔽制御部１２が判別する（ステップＳ１０）。本工程では、検知部２が検知する乗員状態に関する情報に基づいて適宜の演算装置によって生体レベルを導出し、この生体レベルが、例えば遮蔽制御部１２に予め設定される所定の第３しきい値より低い場合は、次工程に移る（ステップＳ１０のＹＥＳ）。
なお、乗員の生体レベルが所定の第３しきい値より高い場合（ステップＳ１０のＮＯ）は、上述した遮蔽部１１の駆動解除工程（ステップＳ５）を、図４に示した制御フローと同様に行うことで、上記フロントウィンドウＷを遮蔽状態から開放状態に戻す。この場合、通常通りの遮蔽部１１の駆動解除を行っただけであるので、図８に示す制御フローは完了状態とする。
【００７２】
ここで、上記生体レベルとしては、例えば乗員の周辺監視に対する集中力の低下に関連し得る情報、パラメータの高さなどである。更に具体的には、車内カメラなどの検知部２で検知される乗員の眠気などに関連する覚醒情報、乗員のフロントウィンドウ側に視線を向ける頻度などを数値化して適宜にレベルとして導出することで得られるものを挙げることができる。
この生体レベルと比較を行うための、生体レベルに関するしきい値（第３しきい値）は、例えば乗員がどのような状態であれば周辺監視に対する集中力がどの程度低下し、乗員に対して周辺監視をより一層促した方が良いかというデータを予め蓄積、分析しておくことで、適宜に設定することができる。
【００７３】
続いて、乗員の生体レベルが第３しきい値より低い場合（ステップＳ１０のＹＥＳ）は、遮蔽部１１の一部を開放状態とする（ステップＳ５１）。なお、本実施形態では遮蔽部１１の駆動解除が２段階に分けて行うことができるようになっている。本工程は、遮蔽部１１の第一段階の駆動解除を行う工程である。第一段階の駆動解除形態としては、フロントウィンドウが全て開放状態とはならない範囲内で乗員の視界に変化を生じさせることで遮蔽部１１に変化が生じたと把握できる程度であれば良く、例えば遮蔽部１１の駆動高さの半分程度まで下げる形態などが採用可能である。
【００７４】
次に、乗員の生体レベルが所定レベルより高いか否かを遮蔽制御部１２が判別する（ステップＳ１１）。本工程では、遮蔽部１１の第一段階の駆動解除が行われたときに、乗員の生体レベルが、上記第３しきい値より高い場合は、次工程に移る（ステップＳ１１のＹＥＳ）。
なお、遮蔽部１１の第一段階の駆動解除がなされた状態で乗員の生体レベルが所定の第３しきい値より低い場合（ステップＳ１１のＮＯ）は、遮蔽部１１を駆動する（ステップＳ３）ことによって、第一段階の駆動解除状態から再度駆動状態として、上記フロントウィンドウＷを一部開放状態から遮蔽状態に戻す。
本工程（ステップＳ１１）では、前工程（ステップＳ５１）の遮蔽部１１を一部開放状態としても乗員の生体レベルが変化しない又はより低くなって、第３しきい値より低いままであれば（ステップＳ１１のＮＯ）、乗員が遮蔽部１１の動きに気付いていない可能性が高い。これでは、遮蔽部１１を全開放状態としたところで、乗員が遮蔽部１１の全開放状態への変化にも気付かない可能性が生じる。
次に、遮蔽部１１の第一段階の駆動解除がなされた状態で乗員の生体レベルが所定の第３しきい値より高い場合（ステップＳ１１のＹＥＳ）は、遮蔽制御部１２によって遮蔽部１１の第二段階の駆動解除が行われる（ステップＳ５２）。本工程では、第一段階の駆動解除工程（ステップＳ５１）によって一部開放状態であった遮蔽部１１が、完全に駆動解除されることでフロントウィンドウＷが全開放状態となる。遮蔽部１１の第二段階の駆動解除がなされることで、フロントウィンドウＷは図３に示した遮蔽状態から図２に示した開放状態に戻る。
【００７５】
以上のように、自動運転制御又は運転支援制御が行われている車両が通常走行制御状態である場合に、乗員の生体レベルに応じて、遮蔽制御部１２は、遮蔽部１１によるフロントウィンドウＷの遮蔽幅又は開放幅を調整しつつ、フロントウィンドウＷの遮蔽状態と開放状態との切替えを行うことができる。図８に示した制御形態では、遮蔽部１１の第一段階の駆動解除の前後における乗員の生体レベルを検知することで、乗員状態に合わせた細やかな遮蔽部１１の遮蔽及び解除制御が可能となる。
【００７６】
本発明は、図示した実施形態以外にも様々な変形例が採用可能である。
例えば図５〜７に示したいずれの実施形態においても、時間しきい値の変更は遮蔽制御部１２が行っても良く、既存の車載用ＣＰＵなどが適宜に行っても良い。
【００７７】
図５〜６に示したいずれの実施形態においても、車両挙動、又は周辺環境の変化率が第１しきい値又は第２しきい値より大きい場合、例えば車両挙動が頻繁に変化する場合又はカーブなどが多い領域を走行している場合などは、フロントウィンドウの遮蔽状態と開放状態との切替えの間隔が長くなるように時間しきい値が大きく変更することができる。これにより、車両又は周辺環境に変化が多くなったときに、乗員に周辺環境を見させる頻度をあえて落とし、かつ可能な限り車両側で対処することで、乗員を視覚上の変化に晒さずに、車両が安定して対処を行っていることを理解させて乗員の安心感の向上に寄与することができる。もちろん頻度は落とすが、遮蔽部の駆動及び解除によって乗員の視界に変化を生じさせることで、乗員による周辺監視に対する集中力の低下を抑制又は防止することも可能である。
また、車両挙動、又は周辺環境の変化率が第１しきい値又は第２しきい値より大きい場合、フロントウィンドウの遮蔽状態と開放状態との切替えの間隔が短くなるように時間しきい値が小さく変更することもできる。これにより、車両又は周辺環境に変化が多くなったときに、乗員に周辺環境を見させる頻度を増やすことで、変化の多い周辺環境を乗員が集中力を維持しつつ監視を続けることができる。よって、乗員の周辺環境に対する理解がリアルタイムに近い状態で更新されるので乗員の安心感の向上に寄与することができる。
【００７８】
一方で、車両挙動、又は周辺環境の変化率が第１しきい値又は第２しきい値などより小さい場合、フロントウィンドウの遮蔽状態と開放状態との切替えの間隔が長くなるように時間しきい値が大きく変更されても良く、逆に切替えの間隔が短くなるように小さく変更されても良い。上述の変形例とは逆に、周辺環境などの変化が少ないとき、つまり乗員による周辺監視に対する集中力が低下し易い状況下で、あえて視界の変化の頻度をあえて低くすることで乗員に安心感を与えることもでき、また視界の変化の頻度を高くすることで集中力の維持を図ることもできる。
【００７９】
車両挙動又は周辺環境の変化に応じて時間しきい値をどのように変更するかは、適宜に設定可能である。例えば車両挙動、又は周辺環境の変化率が大きくなった場合、小さくなった場合の、車両側の運転シナリオにどのような影響又はどの程度の影響が生じるかを導出することで、時間しきい値を大小のいずれに変更すれば良いかを決定可能となる。
【００８０】
図示した実施形態では遮蔽制御部１２に時間しきい値が設定されていたが、本発明においては時間しきい値を設定することなく、例えば図７を参照しつつ説明したような運転制御レベルに応じて遮蔽部の駆動及び解除を直接切替えるようにしても良い。
つまり、遮蔽部の駆動状態の切替え制御のトリガーを、上述したように時間しきい値としても良く、運転制御レベルとしても良く、その他の車両状態又は車両挙動のパラメータとしても良い。
【００８１】
以上、本発明者によってなされた発明を適用した実施形態について説明したが、この実施形態による本発明の開示の一部をなす論述及び図面により、本発明は限定されることはない。すなわち、この実施形態に基づいて当業者などによりなされる他の実施形態、実施例及び運用技術などは全て本発明の範疇に含まれることは勿論であることを付け加えておく。
【符号の説明】
【００８２】
１：視界制御装置、１１：遮蔽部、１２：遮蔽制御部、２：検知部、３：運転制御部、４：記憶部、Ｌ１：中央線、Ｌ２：車道外側線、Ｈ：フード、Ｐ：乗員、Ｒ：路面、Ｓ：中心視野、Ｗ：フロントウィンドウ
【図１】
2019049813.tif 000003
【図２】
2019049813.tif 000004
【図３】
2019049813.tif 000005
【図４】
2019049813.tif 000006
【図５】
2019049813.tif 000007
【図６】
2019049813.tif 000008
【図７】
2019049813.tif 000009
【図８】
2019049813.tif 000010